(57)【特許請求の範囲】
【請求項１】
配線器具を取着するための取着部を枠本体に少なくとも一対備え、壁材に四角形状に形成された壁孔を介して前記壁材の裏側に配置されるとともに、前記取着部を用いて前記配線器具が前記壁材に設置されることで、前記壁材の裏側に設置される器具取付枠であって、
前記枠本体の一側面に、前記壁材の裏面における前記壁孔の周縁に当接する当接面を有するとともに、
前記一側面から立設され、前記壁孔の四つの内側面に当接して前記枠本体の移動を規制する規制部を有し、
前記壁孔の内側面に爪片を食い込ませて係止するとともに弾性変形可能な係止部を前記一側面に備える器具取付枠。
【請求項２】
前記規制部は、前記壁孔の角部の内側に配置されるように複数設けられるとともに、各規制部は、前記角部を形成する隣り合う内側面に当接する請求項１に記載の器具取付枠。
【請求項３】
前記規制部は、前記係止部を兼ねる請求項１に記載の器具取付枠。
【発明の詳細な説明】
【技術分野】
【０００１】
本発明は、壁材に四角形状に形成された壁孔を介して壁材の裏側に配置されるとともに、取着部を用いて配線器具が壁材に設置されることで、壁材の裏側に設置される器具取付枠に関する。
【背景技術】
【０００２】
この種の器具取付枠としては、例えば、特許文献１に開示の挟み金具が挙げられる。図９に示すように、特許文献１の挟み金具８０は、四角形状の開口部８０ａを有する略ロ字形の平板状に形成されている。この挟み金具８０は、上下に対向する挟持片８１と、左右に対向するとともに挟持片８１同士を連結する連結片８２とから形成されている。各挟持片８１には、ねじ孔８１ａが形成されている。また、挟み金具８０の前面において、開口部８０ａの各角部より外方には、爪片８３が突設されている。また、壁材８５に設置される配線器具８４は、四角枠状をなす取付枠８６に保持されるとともに、取付枠８６の上下両側部には、それぞれねじ挿通孔８６ａが形成されている。
【０００３】
そして、挟み金具８０を用いて配線器具８４を壁材８５に設置するには、まず、挟み金具８０を壁材８５に形成された四角形状の壁孔８５ａを通過させる。次に、爪片８３を、ドライバで押圧して、爪片８３の先端を壁孔８５ａの内周面に係止させ、挟み金具８０を壁材８５に仮止めする。次に、ボックスねじ８７を、取付枠８６のねじ挿通孔８６ａに挿通した後、挟み金具８０のねじ孔８１ａに螺合させ、挟持片８１と取付枠８６とで、壁材８５における壁孔８５ａの周縁部を挟持して、取付枠８６を壁材８５ａの表側に固定する。その結果、取付枠８６に保持された配線器具８４が、壁材８５の表側に設置される。
【先行技術文献】
【特許文献】
【０００４】
【特許文献１】特開２０００−５９９４７号公報
【発明の概要】
【発明が解決しようとする課題】
【０００５】
ところで、特許文献１の挟み金具８０は、単に挟み金具８０の前面を壁材８５の裏面に当接させ、開口部８０ａを壁孔８５ａに位置合わせしただけでは、爪片８３は壁孔８５ａを貫通して壁材８５の表側に突出しているだけであり、爪片８３は位置決め機能を発揮しない。このため、爪片８３を用いて挟み金具８０を位置決めするには、爪片８３の先端が壁孔８５ａの内周面に向かうように、爪片８３をドライバで押圧して変形させる必要があり、壁材８５の裏側に挟み金具８０を位置決めする作業が非常に面倒であるという問題があった。
【０００６】
本発明は、上記従来の問題に鑑みてなされたものであって、その目的は、壁材の裏側に簡単に位置決めすることができる器具取付枠を提供することにある。
【課題を解決するための手段】
【０００７】
上記問題点を解決するために、請求項１に記載の発明は、配線器具を取着するための取着部を枠本体に少なくとも一対備え、壁材に四角形状に形成された壁孔を介して前記壁材の裏側に配置されるとともに、前記取着部を用いて前記配線器具が前記壁材に設置されることで、前記壁材の裏側に設置される器具取付枠であって、前記枠本体の一側面に、前記壁材の裏面における前記壁孔の周縁に当接する当接面を有するとともに、前記一側面から立設され、前記壁孔の四つの内側面に当接して前記枠本体の移動を規制する規制部を有し、前記壁孔の内側面に爪片を食い込ませて係止するとともに弾性変形可能な係止部を前記一側面に備えることを要旨とする。
【０００８】
（削除）
【０００９】
請求項２に記載の発明は、請求項１に記載の器具取付枠において、前記規制部は、前記壁孔の角部の内側に配置されるように複数設けられるとともに、各規制部は、前記角部を形成する隣り合う内側面に当接することを要旨とする。
【００１０】
請求項３に記載の発明は、請求項１に記載の器具取付枠において、前記規制部は、前記係止部を兼ねることを要旨とする。
【発明の効果】
【００１１】
本発明によれば、壁材の裏側に簡単に位置決めすることができる。
【図面の簡単な説明】
【００１２】
【図１】実施形態の器具取付枠、及び器具保持枠を示す斜視図。
【図２】（ａ）は器具取付枠を示す正面図、（ｂ）は図２（ａ）の２ｂ−２ｂ線断面図。
【図３】器具取付枠を壁材の裏側に配置した状態を示す正面図。
【図４】器具取付枠を壁材の裏側に配置した状態を示す図３の４−４線断面図。
【図５】（ａ）は器具取付枠を壁材に押し付けた状態を示す正面図、（ｂ）は罫書用突起を壁材に食い込ませた状態を示す断面図、（ｃ）は壁材に表示された突起跡及び罫書線を示す正面図。
【図６】器具取付枠に器具保持枠を組み付けた状態を示す斜視図。
【図７】配線器具を壁材に設置した状態を示す断面図。
【図８】別例の器具取付枠を示す正面図。
【図９】背景技術を示す斜視図。
【発明を実施するための形態】
【００１３】
以下、本発明を具体化した一実施形態を図１〜図７にしたがって説明する。
図１に示すように、器具取付枠１１は、壁材Ｗに配線器具Ｈを設置するために、壁材Ｗに形成された壁孔Ｗａを介して壁材Ｗの裏側に配置されて使用されるものである。なお、壁孔Ｗａは、縦長四角形状をなし、四つの内側面である上側面Ｗ１、下側面Ｗ２、右側面Ｗ３、及び左側面Ｗ４によって囲み形成されている。
【００１４】
器具取付枠１１の枠本体１２は、合成樹脂材料により縦長のコ字状に形成されるとともに、上下に対向する挟持片１３と、両挟持片１３の一端部（図１では左端部）同士を連結する連結片１４とからなる。枠本体１２は、連結片１４の長辺方向が長辺方向となり、挟持片１３の長辺方向が枠本体１２の短辺方向となる。また、一対の挟持片１３と、連結片１４とから、枠本体１２の内側に、開口部１５が囲み形成されている。
【００１５】
図３に示すように、開口部１５は、両挟持片１３の他端側（図３では右端側）が、開放されるとともに、開口部１５の長辺方向への長さＬ１は、壁孔Ｗａの長辺方向への長さＮ１より短くなっている。また、開口部１５の短辺方向への長さＬ２も、壁孔Ｗａの短辺方向への長さＮ２より短くなっている。また、枠本体１２において、連結片１４の長辺方向への長さＴ１は、壁孔Ｗａの長辺方向への長さＮ１より長く、枠本体１２において、挟持片１３の長辺方向への長さＴ２は、壁孔Ｗａの開口幅、すなわち短辺方向への長さＮ２と同じになっている。
【００１６】
枠本体１２において、縦長のコ字状をなす前面（一側面）全体のうち、挟持片１３の開口部１５側の縁部を除いた部位は、壁材Ｗの裏側から壁材Ｗの裏面に当接する当接面１２ａとなっている。この当接面１２ａは縦長のコ字状をなすとともに、壁材Ｗの裏面において、壁孔Ｗａの上側面Ｗ１、下側面Ｗ２、及び左側面Ｗ４に沿った縁部に当接するようになっている。図１、図２（ａ）及び（ｂ）に示すように、両挟持片１３の前面（枠本体１２の前面）には、係止部としてそれぞれ薄板状をなす係止突部１７が一対ずつ前方へ突設されるとともに、各係止突部１７は弾性変形可能になっている。上側の各係止突部１７の先端には、爪片１７ａが上方に向かうに従い尖るように形成されるとともに、下側の各係止突部１７の先端には、爪片１７ａが下方に向かうに従い尖るように形成されている。
【００１７】
両挟持片１３の前面（枠本体１２の前面）において、枠本体１２の短辺方向に沿った各係止突部１７の外側には、薄板状をなす規制部としての規制突部１８が前方に向けて突設されている。各規制突部１８は矩形板状をなし、その長辺方向が、枠本体１２の短辺方向（左右方向）へ延びるとともに、短辺方向が、枠本体１２に対する前後方向へ延びるように形成されている。各挟持片１３に形成された一対の規制突部１８同士は、それぞれ枠本体１２の短辺方向へ延びる同一平面Ｓ上に位置している。さらに、各規制突部１８の短辺方向への長さ（当接面１２ａからの突出長さ）は、壁材Ｗの厚み（壁孔Ｗａの厚み）より短くなっている。また、挟持片１３の長辺方向一端側（左端側）の規制突部１８は、各挟持片１３の長辺方向一端（左端）よりも連結片１４の幅分だけ内寄りに形成されている。一方、挟持片１３の長辺方向他端側（右端側）の規制突部１８は、各挟持片１３の長辺方向他端（右端）を外方に越えて突出するように形成されている。
【００１８】
また、図２（ａ）及び図３に示すように、上側の規制突部１８の上面と、下側の規制突部１８の下面との間の距離Ｋ１は、壁孔Ｗａの長辺方向への長さＮ１より僅かに短くなっている。さらに、左右に隣り合う一対の規制突部１８において、両規制突部１８の長辺方向の外側端間の距離Ｋ２は、壁孔Ｗａの短辺方向への長さＮ２より僅かに短くなっている。そして、四つの規制突部１８を壁孔Ｗａ内に挿入したとき、各規制突部１８は、壁孔Ｗａの各角部の内側に位置するようになっている。
【００１９】
枠本体１２の上下左側に設けられた規制突部１８の前面において、長辺方向の外側端（左側端）の上下それぞれには罫書用突起１８ｂが前方に向けて突設されている。また、枠本体１２の上下右側に設けられた規制突部１８の前面において、その長辺方向の外側端（右側端）の上下それぞれには罫書用突起１８ｂが前方に向けて突設されている。各罫書用突起１８ｂは、三角錐状をなし、前方に向かうに従い尖るように形成されている。そして、四つの規制突部１８を壁孔Ｗａ内に挿入したとき、各罫書用突起１８ｂは、壁孔Ｗａの各角部の内側に位置するようになっている。
【００２０】
各挟持片１３の左右の規制突部１８を、挟持片１３の長辺方向へ延びる一纏まりの規制部材と想定とした場合、挟持片１３と同じ長さの規制部材が、挟持片１３の長辺方向に沿って位置ずれした位置に配置されている。詳細には、規制部材は、挟持片１３の長辺方向に沿って連結片１４の幅分だけ内側へ位置ずれした位置に配置されている。
【００２１】
各挟持片１３において、左右に隣り合う一対の係止突部１７の間には、螺入孔１９が枠本体１２を厚み方向に貫通して形成されている。この螺入孔１９には、ナット（図示せず）が、枠本体１２の厚み方向へ移動不能に嵌入されるとともに、このナットにより螺入孔１９の内周面に雌ねじが形成されている。よって、本実施形態では、螺入孔１９及びナットにより取着部が形成されている。そして、枠本体１２に、係止突部１７、規制突部１８、及び螺入孔１９が形成されて器具取付枠１１が形成されている。
【００２２】
次に、配線器具Ｈを保持する器具保持枠２０について説明する。
図１に示すように、器具保持枠２０は、縦長の四角枠状に形成されるとともに、器具保持枠２０の内側には、縦長四角形状の保持孔２１が形成されている。なお、器具保持枠２０の長辺方向への長さＭ１は、壁孔Ｗａの長辺方向への長さＮ１より長くなっている。一方、器具保持枠２０の短辺方向への長さＭ２は、壁孔Ｗａの短辺方向への長さＮ２より短くなっている。器具保持枠２０の上下両部には、横長の挿通孔２２が器具保持枠２０を厚み方向に貫通して形成されている。
【００２３】
次に、器具取付枠１１及び器具保持枠２０を用いて配線器具Ｈを壁材Ｗに設置する方法について説明する。
まず、図５（ａ）及び（ｂ）に示すように、壁材Ｗの表面において、壁孔Ｗａを形成する位置に、四つの罫書用突起１８ｂが壁孔Ｗａの四つの角部の内側に位置するように器具取付枠１１を配置し、器具取付枠１１を壁材Ｗの表面に押し付けて四つの罫書用突起１８ｂを壁材Ｗの表面に食い込ませる。図５（ｃ）に示すように、器具取付枠１１を壁材Ｗから取り外すと、四つの罫書用突起１８ｂが食い込んだ位置それぞれに突起跡Ｐが形成される。そして、四つの突起跡Ｐを直線状の罫書線Ｑで結ぶと、壁孔Ｗａの外形線が壁材Ｗに罫書かれる。その後、罫書線Ｑに沿って壁材Ｗを切除することにより壁材Ｗに壁孔Ｗａが穿設される。
【００２４】
次に、図６に示すように、配線器具Ｈを器具保持枠２０の保持孔２１に保持させるとともに、器具保持枠２０の上側の挿通孔２２にビス２３を挿通する。そして、このビス２３を、器具取付枠１１の上側の螺入孔１９に挿入するとともに、ナットに螺入し、器具取付枠１１と器具保持枠２０を仮固定する。すると、器具取付枠１１と器具保持枠２０は、それぞれビス２３を回動軸として互いに回動自在に連結される。さらに、各配線器具ＨにケーブルＫを接続する。そして、器具保持枠２０を壁材Ｗの表側に配置しつつ、器具取付枠１１のみを壁孔Ｗａを通過させる。このとき、ビス２３を回動中心として器具取付枠１１を回動させ、壁孔Ｗａの開口縁を開口部１５内に位置させるようにし、器具取付枠１１を壁孔Ｗａを通過させる。すると、器具保持枠２０は、壁材Ｗの表側に配置されながら、器具取付枠１１のみが壁材Ｗの裏側に配置されるとともに、ビス２３により、器具取付枠１１は壁材Ｗの裏側に支持される。
【００２５】
続いて、壁材Ｗの裏側で、器具取付枠１１の当接面１２ａを壁材Ｗの裏面に当接させるとともに、四つの規制突部１８を壁孔Ｗａ内に挿入する。図３に示すように、上側の一対の規制突部１８においては、右側の規制突部１８は、上面が壁孔Ｗａの上側面Ｗ１に当接するとともに、右側端が、上側面Ｗ１に隣り合う右側面Ｗ３に当接する。左側の規制突部１８は、上面が壁孔Ｗａの上側面Ｗ１に当接するとともに、左側端が、上側面Ｗ１に隣り合う左側面Ｗ４に当接する。
【００２６】
下側の一対の規制突部１８においては、右側の規制突部１８は、下面が壁孔Ｗａの下側面Ｗ２に当接支持されるとともに、右側端が、下側面Ｗ２に隣り合う右側面Ｗ３に当接する。左側の規制突部１８は、下面が壁孔Ｗａの下側面Ｗ２に当接支持されるとともに、左側端が、下側面Ｗ２に隣り合う左側面Ｗ４に当接する。
【００２７】
そして、四つの規制突部１８が壁孔Ｗａに挿入された状態では、下側の一対の規制突部１８が、壁孔Ｗａの下側面Ｗ２に支持されることにより、器具取付枠１１が壁材Ｗに位置決めされる。この位置決め状態では、器具取付枠１１の開口部１５が、壁孔Ｗａから壁材Ｗの表側に臨むとともに、螺入孔１９も壁孔Ｗａから壁材Ｗの表側に臨んでいる。
【００２８】
さらに、図４に示すように、上側の係止突部１７の各爪片１７ａを、壁孔Ｗａの上側面Ｗ１に食い込ませて係止させるとともに、下側の係止突部１７の各爪片１７ａを、壁孔Ｗａの下側面Ｗ２に食い込ませて係止させる。すると、各爪片１７ａの係止により、器具取付枠１１が壁材Ｗの裏側へ落下することが規制される。
【００２９】
続いて、図７に示すように、器具取付枠１１に対し、上側のナットに螺入されたビス２３をさらに螺入する。また、器具保持枠２０の下側の挿通孔２２に対し、ビス２３を挿通するとともに、そのビス２３を器具取付枠１１の下側の螺入孔１９のナットに螺入する。そして、両ビス２３を増締めすると、ビス２３のナットへの螺進に伴い器具保持枠２０が壁材Ｗに引寄せられるとともに、器具取付枠１１の両挟持片１３と、器具保持枠２０の上下両部との間に壁材Ｗが挟持される。ビス２３のナットへの螺入により、配線器具Ｈが壁材Ｗの表側に設置されることで、器具取付枠１１が壁材Ｗの裏側に設置される。このとき、枠本体１２の当接面１２ａが、壁材Ｗの裏面における壁孔Ｗａの周縁部に当接する。
【００３０】
次に、器具取付枠１１の作用について説明する。
枠本体１２に四つの規制突部１８が突設され、四つ規制突部１８を壁孔Ｗａに挿入すると、四つの規制突部１８が四つの内側面Ｗ１〜Ｗ４に当接する。このため、枠本体１２に対し、上下左右のいずれかの方向へ移動させる力が作用しても、規制突部１８がその移動方向の先にある内側面Ｗ１〜Ｗ４に当接し、枠本体１２の上下左右方向への移動が規制される。その結果、器具取付枠１１が、開口部１５及び螺入孔１９が壁材Ｗの表側に臨む位置で位置決めされるため、器具取付枠１１のナットに対するビス２３の螺入作業を容易に行うことができる。
【００３１】
上記実施形態によれば、以下のような効果を得ることができる。
（１）器具取付枠１１において、枠本体１２の前面に規制突部１８を突設した。そして、規制突部１８を壁孔Ｗａに挿入すると、規制突部１８が壁孔Ｗａの四つの内側面Ｗ１〜Ｗ４に当接して、器具取付枠１１の開口部１５が壁孔Ｗａに臨む位置に位置決めすることができる。したがって、規制突部１８を壁孔Ｗａに挿入するだけで、器具取付枠１１を位置決めすることができ、背景技術のように爪片を折り曲げる作業を必要とせずに器具取付枠１１の位置決め作業を簡単に行うことができる。
【００３２】
（２）枠本体１２の当接面１２ａを壁材Ｗの裏面に当接させた状態では、規制突部１８は壁孔Ｗａ内に位置し、壁材Ｗの表側に突出しないため、壁孔Ｗａ内で規制突部１８を曲げたり、折り取る必要がない。よって、当接面１２ａを壁材Ｗの裏面に当接させつつ規制突部１８を壁孔Ｗａに挿入するだけで、器具取付枠１１の位置決め作業が完了し、位置決め作業を簡単に行うことができる。
【００３３】
（３）規制突部１８は、枠本体１２に四つ突設されるとともに、各規制突部１８は、壁孔Ｗａの各角部の内側に配置される。そして、規制突部１８は、各角部を形成する隣り合う内側面に当接する。このため、四つの規制突部１８を、壁孔Ｗａの四つの内側面に当接させる構成としても、それら四つの規制突部１８は壁孔Ｗａの上側面Ｗ１と下側面Ｗ２寄りに配置することができ、四つの規制突部１８が壁孔Ｗａを大きく邪魔することがなく、規制突部１８が、配線器具Ｈ設置の妨げになることを防止することができる。
【００３４】
（４）規制突部１８は、枠本体１２に四つ突設されるとともに、各規制突部１８は、壁孔Ｗａの各角部の内側に配置される。そして、規制突部１８は、各角部を形成する隣り合う内側面に当接する。このため、四つの規制突部１８を、枠本体１２の二つの挟持片１３に形成することができ、連結片１４に規制突部１８を形成しなくて済む。このため、連結片１４が、壁孔Ｗａ内に位置することがなく、壁孔Ｗａの短辺方向が器具取付枠１１によって狭められることを防止することができる。
【００３５】
（５）規制突部１８は、枠本体１２に四つ突設されるとともに、各規制突部１８は、壁孔Ｗａの各角部の内側に配置される。そして、規制突部１８は、各角部を形成する隣り合う内側面に当接する。このため、四つの規制突部１８を、枠本体１２の二つの挟持片１３に形成することができ、枠本体１２をコ字状に形成して右側方を開放させることができる。したがって、枠本体１２に四つの規制突部１８を形成しつつも、器具取付枠１１をコ字状に形成することが可能になり、器具取付枠１１を壁孔Ｗａを簡単に通過させることができ、器具取付枠１１を壁材Ｗの裏側に簡単に配置することができる。
【００３６】
（６）枠本体１２には、係止突部１７が形成されるとともに、この係止突部１７は、壁孔Ｗａの上側面Ｗ１及び下側面Ｗ２に係止する。このため、ビス２３を器具取付枠１１の螺入孔１９に螺入する際、器具取付枠１１に壁材Ｗの裏側へ押す力が作用しても、係止突部１７の係止により器具取付枠１１の壁材Ｗの裏側への移動を規制することができる。したがって、ビス２３の螺入作業時に、器具取付枠１１を手で押さえて壁材Ｗの裏側へ移動することを規制する必要がなく、ビス２３の螺入作業を簡単に行うことができる。
【００３７】
（７）係止突部１７は、枠本体１２に四つ突設されるとともに、各係止突部１７は、枠本体１２の短辺方向（左右方向）における各規制突部１８の内側に配置される。このため、四つの係止突部１７を、壁孔Ｗａの内側面に係止させる構成としても、それら四つの係止突部１７は壁孔Ｗａの上側面Ｗ１と下側面Ｗ２寄りに配置することができ、四つの係止突部１７が壁孔Ｗａを大きく邪魔することがなく、係止突部１７が、配線器具Ｈ設置の妨げになることを防止することができる。
【００３８】
（８）係止突部１７は、枠本体１２に四つ突設されるとともに、各係止突部１７は、枠本体１２の短辺方向（左右方向）における各規制突部１８の内側に配置される。このため、四つの係止突部１７を、枠本体１２の二つの挟持片１３に形成することができ、連結片１４に係止突部１７を形成しなくて済む。このため、連結片１４が、壁孔Ｗａ内に位置することがなく、壁孔Ｗａの短辺方向が器具取付枠１１によって狭められることを防止することができる。
【００３９】
（９）係止突部１７は、枠本体１２に四つ突設されるとともに、各係止突部１７は、枠本体１２の短辺方向（左右方向）における各規制突部１８の内側に配置される。このため、四つの係止突部１７を、枠本体１２の二つの挟持片１３に形成することができ、枠本体１２をコ字状に形成して右側方を開放させることができる。したがって、枠本体１２に四つの係止突部１７を形成しつつも、器具取付枠１１をコ字状に形成することが可能になり、器具取付枠１１を壁孔Ｗａを簡単に通過させることができ、器具取付枠１１を壁材Ｗの裏側に簡単に配置することができる。
【００４０】
（１０）器具取付枠１１において、各挟持片１３の長辺方向一端側と他端側に規制突部１８を形成するとともに、挟持片１３の一端側の規制突部１８を、連結片１４の幅分だけ内寄りに配置し、他端側の規制突部１８を挟持片１３の他端より外方に突出して配置した。そして、左右の規制突部１８を一つの規制部材とした場合、この規制部材は、挟持片１３の長辺方向に沿って他端側に位置ずれした位置に配置されている。このため、規制部材の両外側端が、壁孔Ｗａの右側面Ｗ３及び左側面Ｗ４に当接した状態では、連結片１４での当接面１２ａ全体が壁材Ｗに当接し、壁孔Ｗａ内に連結片１４が露出していない。よって、左右の規制突部１８の配置を設定することで、器具取付枠１１が壁孔Ｗａを狭めることが防止できる。また、配線器具Ｈを操作することに伴い、器具取付枠１１を壁材Ｗに押し付ける力が作用しても、その力を枠本体１２の三辺（一対の挟持片１３と、連結片１４）で受承することができ、器具取付枠１１が損傷することを防止することができる。
【００４１】
（１１）器具取付枠１１の枠本体１２には、規制突部１８に加え、罫書用突起１８ｂが形成されている。このため、規制突部１８により器具取付枠１１を位置決めすることができるとともに、罫書用突起１８ｂにより壁材Ｗに壁孔Ｗａを穿設する作業を簡単に行うことができる。
【００４２】
なお、上記実施形態は以下のように変更してもよい。
○  実施形態では、規制突部１８に罫書用突起１８ｂを設けたが、罫書用突起１８ｂは無くてもよい。
【００４３】
○  実施形態では、枠本体１２に係止突部１７を設けたが、係止突部１７は無くてもよい。
○  実施形態では、枠本体１２に規制突部１８に加え、係止突部１７を別体で設けたが、図８に示すように、規制突部１８のみを形成するとともに、規制突部１８に爪片１８ａを突設して、規制突部１８が係止部を兼ねる構成としてもよい。
【００４４】
このように構成すると、規制突部１８に係止部を一体に設けることとなり、器具取付枠１１の製造コストを抑えることができる。
○  実施形態では、四つの規制突部１８を、壁孔Ｗａの各角部の内側に配置されるように枠本体１２に設けたが、四つの規制突部１８の位置は、壁孔Ｗａの四つの内側面Ｗ１〜Ｗ４に当接するのであれば、任意に変更してもよい。例えば、各規制突部１８が、各内側面Ｗ１〜Ｗ４の中央に当接するように変更してもよい。この場合、枠本体１２は四角枠状に形成される。
【００４５】
○  実施形態では、規制部として四つの規制突部１８に具体化したが、規制部をコ字状をなす突条に具体化してもよい。この突条は、上下両挟持片１３及び連結片１４に跨って延びるように形成される。そして、突条の上面が壁孔Ｗａの上側面Ｗ１に当接するとともに、突条の下面が壁孔Ｗａの下側面Ｗ２に当接する。さらに、突条の左側面が壁孔Ｗａの左側面Ｗ４に当接するとともに、突条の上下両右側端が、壁孔Ｗａの右側面Ｗ３に当接する。
【００４６】
○  実施形態では、規制部として四つの規制突部１８に具体化したが、上下右側の規制突部１８のいずれか一つを削除し、三つの規制突部１８としてもよい。このように構成しても、右側の一つの規制突部１８が、壁孔Ｗａの右側面Ｗ３に当接し、残りの左側二つの規制突部１８が、壁孔Ｗａの上側面Ｗ１、下側面Ｗ２、及び左側面Ｗ４に当接するため、三つの規制突部１８が壁孔Ｗａの四つの内側面Ｗ１〜Ｗ４に当接する。
【００４７】
○  実施形態では、器具取付枠１１を、取着部としての螺入孔１９及びナットを上下一対備えるタイプに具体化したが、器具取付枠１１を、挟持片１３を長辺方向に延長し、取着部を上下二対以上備えるタイプに変更してもよい。
【００４８】
○  実施形態では、器具取付枠１１をコ字状にしたが、枠状に変更してもよい。
○  実施形態では、配線器具Ｈを壁材Ｗに設置する際、ビス２３によって器具取付枠１１と器具保持枠２０を組み付けた状態で、器具取付枠１１を壁材Ｗの裏側に配置するようにしたが、これに限らない。すなわち、器具取付枠１１と器具保持枠２０を組み付けず、器具取付枠１１のみを壁材Ｗの裏側に配置し、その後、ビス２３によって器具取付枠１１に器具保持枠２０を組み付けてもよい。
【００４９】
次に、上記実施形態及び別例から把握できる技術的思想について以下に追記する。
（イ）前記枠本体はコ字状をなす請求項１〜請求項４のうちいずれか一項に記載の器具取付枠。
【００５０】
（ロ）前記枠本体は、一対の挟持片と、それら挟持片の一端側を連結する連結片とから形成されるとともに、前記枠本体は前記連結片の長辺方向が長辺方向となる縦長に形成され、前記枠本体の短辺方向に沿って前記規制突部及び係止突部が並設されている請求項３に記載の器具取付枠。
【符号の説明】
【００５１】
Ｈ…配線器具、Ｗ…壁材、Ｗａ…壁孔、Ｗ１〜Ｗ４…内側面（上側面、下側面、右側面、左側面）、１１…器具取付枠、１２…枠本体、１２ａ…当接面、１７…係止部としての係止突部、１８…規制部としての規制突部、１９…取着部を形成する螺入孔。
【図１】
0005778990.tif 000002
【図２】
0005778990.tif 000003
【図３】
0005778990.tif 000004
【図４】
0005778990.tif 000005
【図５】
0005778990.tif 000006
【図６】
0005778990.tif 000007
【図７】
0005778990.tif 000008
【図８】
0005778990.tif 000009
【図９】
0005778990.tif 000010